(57)【要約】【課題】簡便に且つ見栄えよく着用できる二部式着物を提供する。【解決手段】上衣２と、腰巻状の下衣３と、から成る二部式着物１であって、下衣３は、下衣３の内側に着用する襦袢３０に固定されている。【選択図】図３
2020045587.tif 000002
【特許請求の範囲】
【請求項１】
上衣と、腰巻状の下衣と、から成る二部式着物であって、
前記下衣は、該下衣の内側に着用する襦袢に固定されていることを特徴とする二部式着物。
【請求項２】
前記襦袢は、下衣襦袢であることを特徴とする請求項１に記載の二部式着物。
【請求項３】
前記下衣襦袢と前記下衣とが少なくとも左右いずれかの端部を残して固定されていることを特徴とする請求項１または２に記載の二部式着物。
【請求項４】
前記下衣襦袢と前記下衣とが上部で固定されていることを特徴とする請求項１ないし３のいずれかに記載の二部式着物。
【請求項５】
前記下衣と前記襦袢との固定部位には、シャーリング部が形成されていることを特徴とする請求項１ないし４のいずれかに記載の二部式着物。
【請求項６】
前記シャーリング部は、前記下衣における後身頃の左右両端部に形成されていることを特徴とする請求項５に記載の二部式着物。
【請求項７】
前記下衣における下前の褄先の丈が他の部位よりも小寸となっていることを特徴とする請求項１ないし６のいずれかに記載の二部式着物。
【請求項８】
前記上衣は、身頃が一つ身状であることを特徴とする請求項１ないし７のいずれかに記載の二部式着物。
【発明の詳細な説明】
【技術分野】
【０００１】
本発明は、上衣と下衣とからなる二部式着物に関する。
【背景技術】
【０００２】
着物は、日本の民族衣装として、従来から冠婚葬祭等の様々な場所で着用されている。一般的な着物は、上下にひとつながりに延びて形成されており、該着物を身体に纏い、帯を締めることで着付けるようになっている。しかしながら、一般的な着物は、おはしょりを形成して着用者の着丈に合わせて裾の位置を調整する必要があり、また、上衣においては襟合わせの問題が作用し、着付けが難しいことから、着付けに時間がかかり、一人で着付けができるようになるまでには熟練度が必要であった。そこで、特許文献１に示されるような二部式着物が開発されている。
【０００３】
特許文献１に示される二部式着物は、上下に分離された上衣及び下衣から構成されており、長襦袢を着た状態で該長襦袢の上に上衣を羽織り着付けベルトで身体に固定するとともに、長襦袢の上に下衣を巻き、その後、帯を締めることで着付けが完了する。このように二部式着物は、上衣と下衣とに分離されているので、一般的な着物に比べて着丈の調整が簡便であり、短時間で且つ一人で着用することができるようになっている。
【先行技術文献】
【特許文献】
【０００４】
【特許文献１】実開平６−１６４１１号公報（第９頁、第９図）
【発明の概要】
【発明が解決しようとする課題】
【０００５】
二部式着物の下に着た長襦袢は、様々な色、柄、素材などがあり、着物の汗染みを防ぐ効果の他に、裾さばきの際等に上前及び下前の間から見せることで足元の艶やかさを演出することができるようになっている。
【０００６】
しかしながら、特許文献１の二部式着物にあっては、長襦袢の上に下衣を巻いて着用するようになっているため、下衣の着用位置が高すぎると、下衣の裾の下方から長襦袢が露見して美観を損ね、下衣の着用位置が低くすぎると、裾さばきの際に長襦袢が見えず、足元の艶やかさを演出することができず、下衣と襦袢との位置合わせが煩雑であった。また、下衣を適正位置に着用できたとしても、時間の経過とともに下衣の締め付けが緩み、下衣と長襦袢が相対的に位置ずれしてしまう虞があった。
【０００７】
本発明は、このような問題点に着目してなされたもので、簡便に且つ見栄えよく着用できる二部式着物を提供することを目的とする。
【課題を解決するための手段】
【０００８】
前記課題を解決するために、本発明の二部式着物は、
上衣と、腰巻状の下衣と、から成る二部式着物であって、
前記下衣は、該下衣の内側に着用する襦袢に固定されていることを特徴としている。
この特徴によれば、下衣が襦袢に固定されて相対的な位置決めがされているので、簡便に且つ見栄えよく着用することができる。
【０００９】
前記襦袢は、下衣襦袢であることを特徴としている。
この特徴によれば、襦袢に影響されずに下衣の着丈を調整できる。
【００１０】
前記下衣襦袢と前記下衣とが少なくとも左右いずれかの端部を残して固定されていることを特徴としている。
この特徴によれば、下衣襦袢に影響されずに下衣の下前や上前の位置を調整できる。
【００１１】
前記下衣襦袢と前記下衣とが上部で固定されていることを特徴としている。
この特徴によれば、下衣襦袢上下端部及び下衣上下端部を垂直に調整しやすい。
【００１２】
前記下衣と前記襦袢との固定部位には、シャーリング部が形成されていることを特徴としている。
この特徴によれば、下衣と襦袢とを体型に合わせて伸縮させることができる。
【００１３】
前記シャーリング部は、前記下衣における後身頃の左右両端部に形成されていることを特徴としている。
この特徴によれば、シャーリング部の伸縮幅を確保しながら皺を目立たないようにすることができる。
【００１４】
前記下衣における下前の褄先の丈が他の部位よりも小寸となっていることを特徴としている。
この特徴によれば、屈伸時に下衣の下前が上前の下端から下方に突出することを抑制できる。
【００１５】
前記上衣は、身頃が一つ身状であることを特徴としている。
この特徴によれば、後身頃の背縫いがないので、背中心と背骨とのずれを目立たないようにすることができる。
【図面の簡単な説明】
【００１６】
【図１】本発明の実施例における二部式着物を示す斜視図である。
【図２】（ａ），（ｂ）は、上衣を示す正面図及び背面図である。
【図３】（ａ），（ｂ）は、下衣を示す正面図である。
【図４】（ａ），（ｂ）は、下衣の着用方法を示す斜視図である。
【図５】（ａ），（ｂ）は、図４に引き続き下衣の着用方法を示す斜視図である。
【図６】図５に引き続き上衣を着用した状態を示す正面図である。
【発明を実施するための形態】
【００１７】
本発明に係る二部式着物を実施するための形態を実施例に基づいて以下に説明する。
【実施例】
【００１８】
実施例に係る二部式着物につき、図１から図６を参照して説明する。尚、着用した際に身体側に来る方を内側とし、その反対側（裏側）を外側と記載する。
【００１９】
図１の符号１は、本発明の適用された二部式着物である。二部式着物１は、上下に分離された上衣２及び下衣襦袢３０（図３参照）に固定された下衣３をそれぞれ着用した後、上衣２の上から帯４を装着することで、一般的な着物と同様の外観が得られるようになっている。以降、上衣２、下衣３、及び下衣襦袢３０について説明する。
【００２０】
図２（ａ）に示されるように、上衣２は、絹製であり、身頃２０と、その両袖である右袖２０Ｒ及び左袖２０Ｌとから主に構成されている。身頃２０は、絹製の一枚布で一つ身状に形成されており、着用した際に身体の前側に来る前身頃と、身体の後側に来る後身頃２０Ｂとを備え、前身頃は、着用した際に内側に来る下前２０Ｕと、外側に来る上前２０Ｔとを有している。
【００２１】
身頃２０の襟の内側中央部には、帯状の半襟２１の中央部が縫い付けられており、半襟２１の左右両端部である下前２１Ｕ及び上前２１Ｔは、身頃２０の下前２０Ｕ側の襟または上前２０Ｔ側の襟に対して相対的に動かすことができる。また、身頃２０の下前２０Ｕ及び上前２０Ｔには、図示しない一対の面ファスナが取付けられており、下前２０Ｕ及び上前２０Ｔを重ねた状態で位置決めすることができる。
【００２２】
図２（ｂ）に示されるように、身頃２０の後身頃２０Ｂの外側中央部には、帯状のベルト２２の中央部が縫い付けられており、ベルト２２の左右両端部である下前２２Ｕ及び上前２２Ｔは、身頃２０の下前２０Ｕまたは上前２０Ｔ（図２（ａ）参照）対して相対的に動かすことができる。また、ベルト２２の下前２２Ｕ及び上前２２Ｔには、図示しない一対の面ファスナが取付けられており、下前２２Ｕ及び上前２２Ｔを巻いた状態で固定することができる。尚、このベルト２２は伸縮性を有することが好ましい。
【００２３】
次に、図３（ａ），（ｂ）を用いて、下衣３及び下衣襦袢３０について説明する。下衣３及び下衣襦袢３０の各上端は、互いに沿うように位置合わせされ、下衣３及び下衣襦袢３０の各左右端も同様に、互いに沿うように位置合わせされた状態で、下衣３と下衣襦袢３０との上端部同士が左右方向の中央部で縫い付けられて固定されている。尚、図３（ａ），（ｂ）では、着用した際に内側に来る下衣襦袢３０が下衣３よりも紙面手前側に来るように広げた状態を図示している。
【００２４】
また、下衣３及び下衣襦袢３０の固定部位の左右両端部には、布地を波状に寄せてゴムを通したシャーリング部３１がそれぞれ形成されている。以降、下衣３、下衣襦袢３０それぞれについて説明する。
【００２５】
図３（ａ），（ｂ）を参照して、下衣３は、絹製の一枚布で一つ身状に形成されており、着用した際に身体の前側に来る前身頃と、身体の後側に来る後身頃３Ｂとを備え、前身頃は、着用した際に内側に来る下前３Ｕと、外側に来る上前３Ｔとを有している。下前３Ｕは、左側のシャーリング部３１の左端から下衣３の左端までの部分であり、上前３Ｔは、右側のシャーリング部３１の右端から下衣３の右端までの部分である。すなわち、後身頃３Ｂは、右側のシャーリング部３１の右端と左側のシャーリング部３１の左端との間の部分である。
【００２６】
また、下前３Ｕの下端部には、左端から下端にかけて斜めかつ直線状に切り取られた形状の角３Ｒが形成され、上前３Ｔの下端部には、右端から下端にかけて斜めかつ直線状に切り取られた形状の角３Ｌが形成されている。角３Ｒ，３Ｌは、左右寸法が略同一であり、角３Ｒの方が角３Ｌよりも高い位置から下端に向かって延びている。すなわち、下前３Ｕは、角３Ｒ部分の丈が他の部分よりも小寸となっている。尚、角３Ｒ，３Ｌは切り取られた形状として説明したが、実際に裁断されていてもよく、折り曲げて縫い合わされることで同形状に形成されていてもよく、その形成が限定されるものではない。さらに尚、下衣３は、合わせ布から形成されていてもよい。
【００２７】
下衣３の上前３Ｔの内側上端部には、左右方向に離間して面ファスナ４２，４２が取付けられており、下衣３の下前３Ｕの外側上端部にも、面ファスナ４２，４２に位置合わせされて（面ファスナ４２，４２と対応する位置に）面ファスナ４３，４３がそれぞれ取付けられている。これら面ファスナ４２，４３同士は、互いに着脱可能となっている。
【００２８】
下衣襦袢３０は、麻製の一枚布で一つ身状に形成されており、下衣３の左右寸法と略同一寸法かつ下衣３の上下寸法よりも短い略長方形状である。着用した際に身体の前側に来る前身頃と、身体の後側に来る後身頃３０Ｂとを備え、前身頃は、着用した際に内側に来る下前３０Ｕと、外側に来る上前３０Ｔとを有している。下前３０Ｕは、左側のシャーリング部３１の左端から下衣３の左端までの部分であり、上前３０Ｔは、右側のシャーリング部３１の右端から下衣３の右端までの部分である。すなわち、後身頃３０Ｂは、右側のシャーリング部３１の右端と左側のシャーリング部３１の左端との間の部分である。
【００２９】
また、下衣襦袢３０の上前３０Ｔまたは下前３０Ｕは、下衣３の上前３Ｔまたは下前３Ｕと縫い合わせられていないことから、下衣３の下前３Ｕまたは上前３Ｔに対して相対的に動かすことができる（図３（ｂ）参照）。下衣３の下前３Ｕまたは上前３Ｔについても同様に、下衣襦袢３０の上前３０Ｔまたは下前３０Ｕに対して相対的に動かすことができる。
【００３０】
また、下衣襦袢３０の上前３０Ｔの内側上端部には、左右方向に離間して面ファスナ４０，４０が取付けられており、下衣襦袢３０の下前３０Ｕの外側上端部にも、面ファスナ４０，４０に位置合わせされて面ファスナ４１，４１がそれぞれ取付けられている。これら面ファスナ４０，４１は、互いに着脱可能となっている。
【００３１】
次に、図１，図４〜図６を用いて、二部式着物１の着付けについて説明する。尚、図４〜図６では、説明の都合上、二部式着物１が着付けされる人物の図示を省略している。先ず、図４（ａ）に示されるように、下衣３及び下衣襦袢３０の固定部位を腰に当て、下衣襦袢３０の下前３０Ｕを下腹部の右側から左側に向かって巻付け、下衣襦袢３０の上前３０Ｔを下腹部の左側から右側に向かって巻付ける。その際、図４（ａ）において一点鎖線矢印で示すように、内側に取り付けられた面ファスナ４０，４０と、外側に取り付けられた面ファスナ４１，４１との位置を合わせ、互いに対向する面ファスナ４０，４１同士を張り合わせる。これにより、図４（ｂ）に示されるように下前３０Ｕ及び上前３０Ｔが身体に固定され、下衣襦袢３０の着用が完了する。
【００３２】
次いで、図５（ａ）に示されるように、下衣３の下前３Ｕを下衣襦袢３０の上から下腹部の右側から左側に向かって巻付け、下衣３の上前３Ｔを下衣襦袢３０の上から下腹部の左側から右側に向かって巻付ける。その際、図５（ａ）において一点鎖線矢印で示すように、内側に取り付けられた面ファスナ４２，４２と、外側に取り付けられた面ファスナ４３，４３との位置を合わせ、互いに対向する面ファスナ４２，４３同士を張り合わせる。これにより、図５（ｂ）に示されるように下前３Ｕ及び上前３Ｔが身体に固定され、下衣３の着用が完了する。
【００３３】
図６を参照して、下衣３の着用が完了すると、上衣２を羽織り、半襟２１を胸部の前で下前２１Ｕ、上前２１Ｔの順に交差させ、一定の襟角度（例えば、４５度）とした位置で図示しない面ファスナ同士を張り合わせる。その上から、身頃２０の前身頃を腹部の前で下前２０Ｕ、上前２０Ｔの順に重ね合わせた後、ベルト２２の下前２２Ｕを腹部の右側から左側に向かって巻付け、ベルト２２の上前２２Ｔを腹部の左側から右側に向かって巻付け、図示しない面ファスナ同士を張り合わせて、上衣２を身体に固定する。
【００３４】
上衣２を身体に固定すると、予め適正位置に調整された身頃２０の下端部によっておはしょりが形成され、上衣２の上から帯４を着用することで、図１に示されるように、二部式着物１の着付けが完了する。尚、上衣２を身体に固定する際に、ベルト２２とは別に紐を使用してもよく、ベルト２２だけで体に固定することが限定されるものではない。
【００３５】
以上説明してきたように、本実施例の二部式着物１は、下衣３が下衣襦袢３０に固定されて相対的な位置決めがされているので、簡便に且つ見栄えよく着用することができる。
【００３６】
また、下衣３が下衣襦袢３０に固定されており、着丈に併せて下衣襦袢３０を巻付けるだけで下衣３の着丈も調整できる。これに対して、上下にひとつながりに延びて形成された長襦袢に下衣が固定された態様であれば、長襦袢を纏い、長襦袢の下衣側の着丈を調整し、紐等でその着丈を保持する必要があるため、下衣３の着丈の調整が長襦袢に影響される。すなわち、本実施例の二部式着物１は、襦袢に影響されずに下衣３の着丈を調整できる。
【００３７】
また、下衣３の下前３Ｕ及び上前３Ｔは、下衣襦袢３０の上前３０Ｔ及び下前３０Ｕに対して固定されておらず相対的に動かすことができることから、下前３Ｕ及び上前３Ｔと、下前３０Ｕ及び上前３０Ｔと、の位置を身体に対して別々に調整できる。換言すれば、下衣襦袢３０に影響されずに下衣３の下前３Ｕや上前３Ｔの位置を調整できる。加えて、着用した下衣襦袢３０の上に下衣３を着用することで、下衣襦袢３０の上前３０Ｔ及び下衣３の上前３Ｔのそれぞれの側端が直接重ることを防止できるため、裾さばきの際に、下衣３の上前３Ｔと下前３Ｕとの間から下衣襦袢３０が不自然に露見することを回避できる。
【００３８】
また、下衣襦袢３０の後身頃３０Ｂの上端部と下衣３の後身頃３Ｂの上端部とが互いに沿った状態で固定されているため、着用するだけで、下衣襦袢３０の後身頃３０Ｂの上端部と下衣３の後身頃３Ｂの上端部とが略直線状に揃うことから、下衣襦袢３０上下端部及び下衣３上下端部を垂直（上下位置）に調整しやすい。
【００３９】
また、下衣３と下衣襦袢３０との固定部位には、その両端部にシャーリング部３１，３１が形成されていることから、下衣３と下衣襦袢３０とを体型に合わせて伸縮させることができる。さらに、シャーリング部３１，３１による適度な締め付けを得やすいことから、例えば紐等で下衣及び下衣襦袢を締め付けた際のように、締め付けが緩むことで下衣及び下衣襦袢が着崩れしにくく、着崩れを防止するために強く締め付ける必要が無いため、快適である。
【００４０】
また、シャーリング部３１は、下衣３の後身頃３Ｂの左右両端部に離間して形成されており、下衣３及び下衣襦袢３０を着用した際に右腰側または左腰側に位置するため、正面側または後方側から見え難いばかりでなく、上衣２の右袖２０Ｒや左袖２０Ｌによって隠れやすいことから、シャーリング部３１の伸縮幅を確保しながら皺を目立たないようにすることができる。
【００４１】
また、下前３Ｕは、角３Ｒ部分の丈が他の部分よりも小寸となっていることから、屈伸時に下衣３の下前３Ｕが上前３Ｔの下端から下方に突出することを抑制できる。
【００４２】
また、上衣２の身頃２０は、一枚布で一つ身状に形成されていることから、後身頃２０Ｂの背縫いが無いので、背中心と背骨とのずれを目立たないようにすることができる。同様に、下衣３も、一枚布で一つ身状に形成されていることから、後身頃３Ｂの背縫いが無いので、背中心と背骨とのずれを目立たないようにすることができる。
【００４３】
また、上衣２の内側に上衣襦袢を着用する必要が無く、一般的なＴシャツやインナー等でよいことから、道具を揃えにくい海外であっても、より簡便に着物を着用できるとともに、その着物を楽しむことができる。
【００４４】
また、図１を参照して、右袖２０Ｒの内側には、上衣襦袢の袖２３が縫い付けられており、左袖２０Ｌの内側にも上衣襦袢の袖２３が縫い付けられている。これにより、一般的な着物と同様に右袖２０Ｒ及び左袖２０Ｌから上衣襦袢の袖２３が見えることから、一般的な着物と同様の品格を保つことができる。
【００４５】
また、半襟２１の下前２１Ｕ及び上前２１Ｔは、身頃２０の襟に対して相対的に動かすことができるため、着付けの出来栄えを左右する襟抜きや襟幅を一定に保ちながら体型に合わせて一定の襟角度をつくるとともに、その襟角度を面ファスナによって容易に保持することができる。なお、襟合わせにおいては、予め後身頃の衿部分がＶ字状にカットされて襟抜き縫製された身頃２０の襟や半襟２１を用いることによって、上衣２を着用するのみできれいな襟抜きが形成される。
【００４６】
また、身頃２０の後身頃２０Ｂには、ベルト２２が縫い付けられていることから、上衣２を着用する際に、上衣２の下前２０Ｕや上前２０Ｔを腹部の前で重ねた状態を一方の手で保持しながら他方の手でベルト２２の下前２０Ｕや上前２０Ｔを腹部に巻付けることができるため、上衣２の下前２０Ｕや上前２０Ｔがずれにくい。
【００４７】
また、通常の着物では、下前及び上前の裾部分の角を上方に引き上げて裾長さを調整することで、階段を上る際等に下前や上前を踏みにくくすることがある。これに対して本実施例の下衣３は、角３Ｒ，３Ｌによって、下衣３の上端部を略水平にして着用するだけで調整後の裾長さの状態となることから、裾長さの調整といった技術を必要としないため、簡便である。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、下衣３は、下衣襦袢３０に固定された態様として説明したが、これに限らず、長襦袢に固定されていてもよい。また、下衣３は、後身頃３Ｂの上端部が下衣襦袢３０の後身頃３０Ｂの上端部に固定されている態様として説明したが、これにばかりでなく、後身頃３Ｂ，３０Ｂから下前３Ｕ，３０Ｕまたは上前３Ｔ，３０Ｔまで固定されている態様であってもよい。
【００５０】
また、下衣３及び下衣襦袢３０は、対向する面ファスナを張り合わせることで身体に固定される態様として説明したが、これに限らず、下衣３または下衣襦袢３０に取付けられた一対の紐、独立した紐、ボタン等で身体に固定される態様であってもよい。
【００５１】
また、上衣２は、ベルト２２が帯４としての美観性や装飾性を兼ねていてもよい。
【００５２】
また、上衣２は、ベルト２２を有さず、上衣２に取付けられた面ファスナ、上衣２に取付けられた一対の紐、独立した紐、ボタン等で身体に固定される態様であってもよい。この態様であれば、帯４を装着しなくともよい。おはしょりについても、上衣２を身体に固定すると、予め適正位置に調整された身頃２０の下端部によっておはしょりが形成される態様を説明したが、身頃２０の下端部を内側へと折り返し、面ファスナやボタン同士を張り合わせる方法等でおはしょりを形成するようにしてもよい。
【００５３】
また、シャーリング部３１，３１は、下衣３の後身頃３Ｂの左右両端部に形成されている態様として説明したが、これに限らず、後身頃３Ｂの左右方向中央部に一つだけ形成されていてもよく、所定間隔置きまたは非所定間隔置きに複数形成されている態様であってもよく、限定されるものではない。さらに、シャーリング部は、下衣や下衣襦袢それぞれに形成されていてもよく、その一方のみに形成されていてもよい。
【００５４】
また、下衣３は、下前３Ｕまたは上前３Ｔと後身頃３Ｂとの境界がシャーリング部３１の右端または左端である態様として説明したが、これに限らず、下前３Ｕまたは上前３Ｔと後身頃３Ｂとの境界がシャーリング部または下衣３及び下衣襦袢３０の固定部位とは離間した位置であってもよく、その位置が限定されるものではない。下衣襦袢３０についても同様である。
【００５５】
また、上衣２は、絹ばかりではなく麻、合成繊維等で形成されていてもよく、その素材が限定されるものではない。これは、下衣３、下衣襦袢３０についても同様である。例えば、合成繊維で形成されていれば、家庭でも簡単に洗濯することができるため、清潔感を維持し易い。
【００５６】
また、上衣２には、半襟２１、ベルト２２、上衣襦袢の袖２３が縫い付けられている態様として説明したが、これに限らず、面ファスナ、ボタン等で着脱可能に固定される態様であってもよい。同様に、下衣３及び下衣襦袢３０も、面ファスナ、ボタン等で着脱可能に固定される態様であってもよい。この態様であれば、素材に応じて洗い分けることが容易である。
【００５７】
また、上衣２には、上衣襦袢の袖２３ばかりでなく、上衣襦袢の身頃が縫い付けられていてもよい。
【符号の説明】
【００５８】
１              二部式着物
２              上衣
３              下衣
３Ｔ            上前
３Ｕ            下前
２０            身頃
３０            下衣襦袢
３１            シャーリング部
【図１】
2020045587.tif 000003
【図２】
2020045587.tif 000004
【図３】
2020045587.tif 000005
【図４】
2020045587.tif 000006
【図５】
2020045587.tif 000007
【図６】
2020045587.tif 000008